(57)【要約】      （修正有）【課題】装飾性及び判別性の優れた吊下具及びその製造方法を提供する。【解決手段】表面基材２１、粘着材２２及び剥離材２３の３層から構成された吊下具本体１０を、万人に好まれるマスコット的な形状に形成し、その表面全域を、インク３により印刷、つまり下地印刷してからラメ素材を溶剤に混合したグリッターを用いて印刷する。そして、インク３の上に、フック４の基板を設置するとともに、このフック４の基板の上から透明な熱硬化性樹脂５をインク３の全域に亘って充填して当該フック４の基板を固定する。更に、熱硬化性樹脂５が半硬化状態であるうちに、当該熱硬化性樹脂５にその表面から飛び出した状態でラインストーン６を固定し、熱硬化樹脂５の硬化完了後に吊下具１を得る。【選択図】図２
0003168623.tif 000002
【実用新案登録請求の範囲】
【請求項１】
表面基材、粘着材及び剥離材の３層から構成された吊下具本体は、万人に好まれるマスコット的な形状に形成され、その表面全域は、ラメ素材又は蓄光剤を溶剤に混合したインクを用いて印刷されており、
前記インクの上には、フックの基部が設置されているとともに、このフックの基部の上から透明な熱硬化性樹脂が前記インクの全域に亘って充填されて当該フックが固定され、
前記熱硬化性樹脂には、その表面から飛び出した状態で模造宝石状物が固定されていることを特徴とする吊下具。
【請求項２】
表面基材、粘着材及び剥離材の３層から構成されたシール基材の表面全域を、ラメ素材又は蓄光剤を溶剤に混合したインクを用いて印刷する印刷工程と、
この印刷工程によりインクが印刷されたシール基材から吊下具本体を万人に好まれるマスコット的な形状に型抜き加工した後、その吊下具本体の周囲から不要な部分を取り除いて吊下具本体を取り出す取り出し工程と、
この取り出し工程により取り出された吊下具本体の表面にフックの基部の取り付け位置を定め、前記フックの基部の上から透明な熱硬化性樹脂を前記インクの全域に亘って充填して当該フックを固定するフック固定工程と、
このフック固定工程により充填された熱硬化性樹脂が硬化完了する前に当該熱硬化性樹脂にその表面から飛び出した状態で固定されるように模造宝石状物を設置する模造宝石状物設置工程と、
この模造宝石状物設置工程後に前記熱硬化性樹脂を硬化完了するまで待機する待機工程と、
を備えていることを特徴とする吊下具の製造方法。
【考案の詳細な説明】
【技術分野】
【０００１】
本考案は、壁などに物を吊下げる際に使用される吊下具及びその製造方法に関し、詳しくは、装飾性及び判別性に優れた一般にフックと称されるものに係る。
【背景技術】
【０００２】
従来より、図４１に示すように、この種の吊下具９としては、硬質合成樹脂などからなる板状の基板部９１と、この基板部９１の一辺（下辺）に設けられたフック部９２とを備えたものが知られている（例えば、特許文献１参照）。そして、フック部９２は、合成樹脂により基板部９１と一体成形される場合と、金属製として基板部９１に取り付けられる場合とがある。更に、基板部９１の一方の面９１ａ（裏面；図４１では左側の面）には、両面粘着テープ９３が貼着されており、吊下具９はこの両面粘着テープ９３を固着手段として図示しない壁や家具などの被取付面に接着される。また、基板部９１の他方の面９１ｂ（表面；図４１では右側の面）に、例えばキャラクターや所定の図柄などの装飾が印刷されることもある。
【先行技術文献】
【特許文献】
【０００３】
【特許文献１】特開平１１−３１８６８６号公報
【考案の概要】
【考案が解決しようとする課題】
【０００４】
ところが、前記従来のものでは、基板部９１の他方の面９１ｂにキャラクターや所定の図柄などの装飾が施されることがあるものの、基板部としての吊下具本体の形状自体に特異性がないため、たとえ好みの装飾が表面に施されていても、壁などに吊下具を貼り付けた際に装飾性及び判別性が優れたものであるとはいえない。
【０００５】
本考案は、かかる点に鑑みてなされたものであり、その目的とするところは、装飾性及び判別性の優れた吊下具及びその製造方法を提供することにある。
【課題を解決するための手段】
【０００６】
前記目的を達成するため、本考案では、吊下具として、表面基材、粘着材及び剥離材の３層から構成された吊下具本体を、万人に好まれるマスコット的な形状に形成し、その表面全域を、ラメ素材又は蓄光剤を溶剤に混合したインクを用いて印刷する。そして、前記インクの上に、フックの基部を設置するとともに、このフックの基部の上から透明な熱硬化性樹脂を前記インクの全域に亘って充填して当該フックを固定する。更に、前記熱硬化性樹脂に、その表面から飛び出した状態で模造宝石状物を固定している。
【０００７】
この特定事項により、吊下具本体は、万人に好まれるマスコット的な形状に形成されているので、その形状自体に十分な特異性が発揮されることになる。しかも、吊下具本体の表面に印刷されたインクのラメ素材又は蓄光剤と、その上に充填した透明な熱硬化性樹脂の表面から飛び出す模造宝石状物とによって、見栄えが著しく向上する。これにより、十分な特異性が発揮された形状と相俟って、壁などに吊下具を貼り付けた際の装飾性及び判別性が非常に優れたものとなる。
【０００８】
また、前記目的を達成するため、本考案では、吊下具の製造方法として、表面基材、粘着材及び剥離材の３層から構成されたシール基材の表面全域を、ラメ素材又は蓄光剤を溶剤に混合したインクを用いて印刷する印刷工程と、この印刷工程によりインクが印刷されたシール基材から吊下具本体を万人に好まれるマスコット的な形状に型抜き加工した後、その吊下具本体の周囲から不要な部分を取り除いて吊下具本体を取り出す取り出し工程と、この取り出し工程により取り出された吊下具本体の表面にフックの基部の取り付け位置を定め、前記フックの基部の上から透明な熱硬化性樹脂を前記インクの全域に亘って充填して当該フックを固定するフック固定工程と、このフック固定工程により充填された熱硬化性樹脂が硬化完了する前に当該熱硬化性樹脂にその表面から飛び出した状態で固定されるように模造宝石状物を設置する模造宝石状物設置工程と、この模造宝石状物設置工程後に前記熱硬化性樹脂を硬化完了するまで待機する待機工程と、を具備している。
【０００９】
これにより、万人に好まれるマスコット的な形状に形成されて十分な特異性が発揮された吊下具本体の表面に印刷したインクのラメ素材又は蓄光剤と、その上に充填した透明な熱硬化性樹脂の表面から飛び出す模造宝石状物とによって吊下具が製造され、壁などに貼り付けた際の装飾性及び判別性が非常に優れた吊下具を提供することが可能となる。
【考案の効果】
【００１０】
以上、要するに、万人に好まれるマスコット的な形状に形成した吊下具本体の表面全域をラメ素材又は蓄光剤を含むインクにより印刷し、その上に設置したフックの基部の上から透明な熱硬化性樹脂をインクの全域に亘って充填して当該フックを固定するとともに、熱硬化性樹脂の表面から飛び出した状態で模造宝石状物を固定することで、吊下具本体の形状自体に十分な特異性が発揮される上、ラメ素材又は蓄光剤とその表面から飛び出す模造宝石状物とによって見栄えが著しく向上する。これにより、十分な特異性が発揮された形状と相俟って、壁などに吊下具を貼り付けた際の装飾性及び判別性を非常に優れたものにすることができる。
【００１１】
また、シール基材の表面全域をラメ素材又は蓄光剤を含むインクで印刷する印刷工程と、マスコット的な形状に型抜き加工した吊下具本体の周囲から不要な部分を取り除いて吊下具本体を取り出す取り出し工程と、吊下具本体の表面に基部の上から透明な熱硬化性樹脂をインクの全域に亘って充填してフックを固定するフック固定工程と、熱硬化性樹脂が硬化完了する前にその表面から飛び出した状態で模造宝石状物を固定する模造宝石状物設置工程と、熱硬化性樹脂を硬化完了するまで待機する待機工程とを順に経て吊下具を製造することで、見栄えが著しく向上し、十分な特異性が発揮された形状と相俟って壁などに貼り付けた際の装飾性及び判別性が非常に優れた吊下具を提供することができる。
【図面の簡単な説明】
【００１２】
【図１】吊下具を正面から見た正面図である。
【図２】図１の吊下具の縦断側面図である。
【図３】図１の吊下具を製造する際に用いられるシール基材の斜視図である。
【図４】図３のシール基材を台上に貼り付ける工程を示す斜視図である。
【図５】図３のシール基材を貼り付け終えた台の斜視図である。
【図６】図５のシール基材の表面に下地を印刷する版の斜視図である。
【図７】図６の版により印刷した下地にグリッターを印刷する版の斜視図である。
【図８】図７の版により印刷したシール基材を台から取り外した状態の斜視図である。
【図９】図８のシール基材から吊下具本体を型抜き装置により型抜きする工程を示す斜視図である。
【図１０】図９の型抜き装置により型抜きして個別に切り取った吊下具本体の周囲から不要な部分を取り除いて吊下具本体を取り出す工程を示す斜視図である。
【図１１】図１０の工程により取り出した吊下具本体の表面にフックの取り付け位置を定める工程を示す斜視図である。
【図１２】図１１の工程により取り付け位置を定めたフックの基部の上から熱硬化性樹脂を充填して当該フックを固定する工程を示す斜視図である。
【図１３】図１２の工程により充填した熱硬化性樹脂が硬化完了する前にラインストーンを設置する工程を示す斜視図である。
【図１４】図１３の工程後に熱硬化性樹脂を硬化完了するまで待機してから吊下具をパッケージにセットする工程を示す斜視図である。
【図１５】本実施形態の変形例に係る吊下具を正面から見た正面図である。
【図１６】本実施形態のその他の変形例に係る吊下具を正面から見た正面図である。
【図１７】本実施形態のその他の変形例に係る吊下具を正面から見た正面図である。
【図１８】本実施形態のその他の変形例に係る吊下具を正面から見た正面図である。
【図１９】本実施形態のその他の変形例に係る吊下具を正面から見た正面図である。
【図２０】本実施形態のその他の変形例に係る吊下具を正面から見た正面図である。
【図２１】本実施形態のその他の変形例に係る吊下具を正面から見た正面図である。
【図２２】本実施形態のその他の変形例に係る吊下具を正面から見た正面図である。
【図２３】本実施形態のその他の変形例に係る吊下具を正面から見た正面図である。
【図２４】本実施形態のその他の変形例に係る吊下具を正面から見た正面図である。
【図２５】本実施形態のその他の変形例に係る吊下具を正面から見た正面図である。
【図２６】本実施形態のその他の変形例に係る吊下具を正面から見た正面図である。
【図２７】本実施形態のその他の変形例に係る吊下具を正面から見た正面図である。
【図２８】本実施形態のその他の変形例に係る吊下具を正面から見た正面図である。
【図２９】本実施形態のその他の変形例に係る吊下具を正面から見た正面図である。
【図３０】本実施形態のその他の変形例に係る吊下具を正面から見た正面図である。
【図３１】本実施形態のその他の変形例に係る吊下具を正面から見た正面図である。
【図３２】本実施形態のその他の変形例に係る吊下具を正面から見た正面図である。
【図３３】本実施形態のその他の変形例に係る吊下具を正面から見た正面図である。
【図３４】本実施形態のその他の変形例に係る吊下具を正面から見た正面図である。
【図３５】本実施形態のその他の変形例に係る吊下具を正面から見た正面図である。
【図３６】本実施形態のその他の変形例に係る吊下具を正面から見た正面図である。
【図３７】本実施形態のその他の変形例に係る吊下具を正面から見た正面図である。
【図３８】本実施形態のその他の変形例に係る吊下具を正面から見た正面図である。
【図３９】本実施形態のその他の変形例に係る吊下具を正面から見た正面図である。
【図４０】本実施形態のその他の変形例に係る吊下具を正面から見た正面図である。
【図４１】従来例に係る吊下具の斜視図である。
【考案を実施するための形態】
【００１３】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１４】
図１及び図２において、１は本考案の実施の形態に係る吊下具であって、この吊下具１は、表面基材２１、粘着剤２２及び剥離材２３の３層から構成された吊下具本体１０を、万人に好まれるマスコット的な形状、例えば小熊が手足を広げた形状に形成されてなる。そして、表面基材２１は、ＡＴＢＣ−ＰＶＣ（Ａｃｅｔｙｌ  ｔｒｉｂｕｔｙｌ  ｃｉｔｒａｔｅ−ｐｏｌｙｖｉｎｙｌ  ｃｈｌｏｒｉｄｅ）製のシート材よりなり、その裏面側に粘着剤２２が塗布されている。また、剥離材２３としては、ＰＥＴ（Ｐｏｌｙｅｔｈｙｌｅｎｅ  ｔｅｒｅｐｈｔｈａｌａｔｅ）離型フィルムが適用され、粘着剤２２に対し接離可能となっている。
【００１５】
吊下具本体１０の表面全域、つまり表面基材２１の表面全域には、ラメ素材を溶剤に混合したインク３を用いてシルクスクリーン印刷がなされている。このシルクスクリーン印刷に用いられるインク３としては、パウダー状の金色のラメ素材を透明な溶剤（後述する）に混合したグリッターと、このグリッターのラメ素材と同色の金色のインク（図示せず）とが用いられている。このシルクスクリーン印刷では、表面基材２１の表面に金色のインクによる印刷を先に済ませてから、グリッターによる印刷が行われる。
【００１６】
また、インク３の上には、透明なポリスチレン樹脂よりなるフック４が設置されている。このフック４は、基部となる略円板状の基板４１と、この基板４１の中心より若干下部位置から突出したのちに上方に向かって延びるフック本体４２とを備えている。基板４１は、その表面側が周縁に向かってなだらかに湾曲する湾曲面に形成されているのに対し、裏面側がインク３の上に沿って略平行に設置されるようにほぼ平坦面に形成されている。
【００１７】
フック４の基板４１の上（表面側）には、透明な熱硬化性樹脂５がインク３の全域に亘って充填されて当該フック４の基板４１をインク３を介して吊下具本体１０の表面に固定している。この熱硬化性樹脂５としては、エポキシ樹脂が適用されている。この場合、フック４の耐荷重性能は、３００ｇに設定されている。なお、熱硬化性樹脂５としては、柔軟性と透明性に優れたポリウレタン樹脂などが適用されていてもよく、特に限定されることはない。
【００１８】
更に、熱硬化性樹脂５には、その表面から飛び出した状態で模造宝石状物としての複数個のラインストーン６が固定されている。この各ラインストーン６としては、金色のインクに合う色調（例えばピンク色など）の小粒のものが適用され、小熊の首の部分に３つ並べて取り付けられている。
【００１９】
次に、吊下具１を製造する場合の手順の一例を図３〜図１４に基づいて説明する。
【００２０】
まず、シルクスクリーン印刷による印刷工程を行う。この印刷工程では、図３に示すように、表面基材２１、粘着剤２２及び剥離材２３の３層から構成されたロール状のシール基材２を用意し、図４に示すように、シール基材２を繰り出して、上面に弱粘着の糊剤を塗布した印刷台７１上に加工し易い状態で安定させるように剥離材２３側を貼り付ける。それから、図５に示すように、印刷台７１上に貼り付けたシール基材２の表面基材２１の表面全域にシルクスクリーン印刷を行う。このシルクスクリーン印刷では、図６に示す下地印刷用の版７２と、図７に示すグリッター印刷用の版７３とを用いる。両版７２,７３としては、一人の作業者による手作業での印刷作業が行われるように、縦８７０ｍｍ×横１５０ｍｍのサイズのものが用いられ、枠体の中央に刷り込まれたインクによって印刷を行う。
手順としては、下地印刷用の版７２を用いて表面基材２１の表面に金色のインクによる下地の印刷を先に済ませ、その後、グリッター印刷用の版７３を用いてパウダー状の金色のラメ素材を透明な溶剤に混合したグリッターによる印刷を行う。この溶剤としては、透明の油性インクが用いられ、組成が、ＳＢ／ＳＢ−５／ＰＡ／ＰＡＢ／ＳＧ−１１０、１０２、１０４、１０５からなる混合物が適用される。
【００２１】
次いで、吊下具本体１０を取り出す取り出し工程を行う。この取り出し工程では、印刷工程においてシルクスクリーン印刷されたシール基材２を印刷台７１上から取り外し、図８に示すように、ロール状に巻いておく。その後、図９に示すように、型抜き加工装置７４（例えば、株式会社志機製の型番ＰＨ−３５２５など）を用い、シルクスクリーン印刷を終えたシール基材２を繰り出して型抜き加工装置７４に通し、シール基材２から吊下具本体１０を万人に好まれるマスコット的な形状、例えば小熊が手足を広げた形状に所定間隔（例えば隣接する吊下具本体同士の間に１５〜２０ｍｍ程度間隔）を隔てて型抜き加工する。このとき、型抜き加工装置７４による型抜き加工では、シール基材２の表面基材２１及び粘着剤２２のみが型抜き加工され、剥離材２３の型抜き加工は行われない。
そして、型抜き加工装置７４により型抜き加工されたシール基材２を、隣接する吊下具本体１０同士の間で切断した後、図１０に示すように、吊下具本体１０の周囲から不要な部分（表面基材２１及び粘着剤２２）を取り除き、吊下具本体１０を剥離材２３と共に取り出す。
【００２２】
その後、フック４を固定するフック固定工程を行う。このフック固定工程では、図１１に示すように、取り出し工程において取り出した吊下具本体１０の表面つまりインク３の上面にフック４の基板４１の取り付け位置を定める。それから、図１２に示すように、フック４の基板４１の上から透明な熱硬化性樹脂５（エポキシ樹脂）をインク３の全域に亘って注入具７５を用いて手作業で充填し、当該フック４の基板４１をインク３を介して吊下具本体１０の表面に固定する。この熱硬化性樹脂５としては、Ａ液としてのビスフェノールＡと、Ｂ液としてのエピクロルヒドリンとの共重合体からなるエポキシ樹脂を用い、Ａ液：Ｂ液を１：３の比率で混合している。また、硬化剤としては種々のポリアミンや酸無水物が使用される。このとき、熱硬化性樹脂５は、常温で内部から固化し始め、充填してから１２時間後に固化が完了する。
【００２３】
しかる後、ラインストーン６を設置するラインストーン設置工程（模造宝石状物設置工程）を行う。このラインストーン設置工程では、図１３に示すように、フック固定工程により充填された熱硬化性樹脂５が硬化完了する前、例えば熱硬化性樹脂５の充填から約８時間経過後の半固化状態で、ピンセット７６によりラインストーン６を設置する。このとき、熱硬化性樹脂５は、固化が完了していないため、その表面側が柔らかく、ラインストーン６を設置した際に下部のみが埋まって表面から上部が飛び出した状態で固定される。
【００２４】
それから、ラインストーン設置工程後に熱硬化性樹脂５が硬化完了するまで待機する待機工程を行う。この待機工程では、ラインストーン設置工程後に熱硬化性樹脂５が硬化完了するまでに要する時間、つまり熱硬化性樹脂５が充填から固化が完了するまでの１２時間が経過するまで待機し、吊下具１を得る。
その後、得られた吊下具１を、図１４に示すように、パッケージ７７にセットする。このパッケージ７７は、吊下具１の裏面つまり剥離材２３の裏面が弱粘着の接着剤（図示せず）により貼着された厚紙よりなるパッケージ基板７７１と、このパッケージ基板７７１の周囲を外方から囲む折り返し片（図示せず）を備え、フック４との干渉を回避する膨出部７７２を略中央部に備えたＰＥＴ（Ｐｏｌｙｅｔｈｙｌｅｎｅ  ｔｅｒｅｐｈｔｈａｌａｔｅ）樹脂よりなる透明ケーシング７７３とからなる。
【００２５】
したがって、本実施の形態では、吊下具本体１０は、万人に好まれるマスコット的な形状に形成されているので、その形状自体に十分な特異性が発揮されることになる。しかも、吊下具本体１０の表面全域つまり表面基材２１の表面全域に印刷されたインク３のラメ素材と、その上に充填した透明な熱硬化性樹脂５の表面から飛び出すラインストーン６とによって、見栄えが著しく向上する。これにより、十分な特異性が発揮された形状と相俟って、壁などに吊下具１を貼り付けた際の装飾性及び判別性を非常に優れたものにすることができる。
【００２６】
しかも、吊下具１が、シール基材２の表面全域をラメ素材を含むインク３で印刷する印刷工程と、マスコット的な形状に型抜き加工した吊下具本体１０の周囲から不要な部分を取り除いて吊下具本体１０を取り出す取り出し工程と、吊下具本体１０の表面に基板４１の上から透明な熱硬化性樹脂５をインク３の全域に亘って充填してフック４の基板４１を固定するフック固定工程と、熱硬化性樹脂５が硬化完了する前にその表面から飛び出した状態でラインストーン６を固定するラインストーン設置工程と、熱硬化性樹脂５を充填してから硬化完了するまでの１２時間が経過するまで待機する待機工程とを順に経て吊下具１を製造することで、見栄えが著しく向上し、十分な特異性が発揮された形状と相俟って壁などに貼り付けた際の装飾性及び判別性が非常に優れた吊下具１を提供することができる。
【００２７】
なお、本考案は、前記実施の形態に限定されるものではなく、その他種々の変形例を包含している。例えば、前記実施の形態では、吊下具１（吊下具本体１０）を小熊が手足を広げた形状に形成したが、図１５に示すような星形状の吊下具１０１、図１６に示すような王冠形状の吊下具１０２、図１７に示すような城形状の吊下具１０３、図１８に示すような猫形状の吊下具１０４、図１９に示すようなアヒル形状の吊下具１０５、図２０に示すようなタワー形状の吊下具１０６、図２１に示すようなブドウの房形状の吊下具１０７、図２２に示すようなドクロマーク形状の吊下具１０８、図２３に示すような子豚形状の吊下具１０９、図２４に示すようなイチゴ形状の吊下具１１０、図２５に示すようなユニコーン形状の吊下具１１１、図２６に示すようなリボン形状の吊下具１１２、図２７に示すようなペンギン形状の吊下具１１３、図２８に示すようなカエル形状の吊下具１１４、図２９に示すようなリンゴ形状の吊下具１１５、図３０に示すような鳩形状の吊下具１１６、図３１に示すような白鳥形状の吊下具１１７、図３２に示すような羊形状の吊下具１１８、図３３に示すような蝶形状の吊下具１１９、図３４に示すような小鹿形状の吊下具１２０、図３５に示すような四つ葉のクローバ形状の吊下具１２１、図３６に示すようなハート形状の吊下具１２２、図３７に示すようなキノコ形状の吊下具１２３、図３８に示すような花びら形状の吊下具１２４、図３９に示すようなリス形状の吊下具１２５、又は、図４０に示すようなウサギ形状の吊下具１２６が形成されていてもよい。この場合、各吊下具１０１〜１２６には、それぞれフック４が設けられているとともに、それぞれポイントとなる位置に同じ大きさ又は大小異なる大きさのラインストーン６が固定されている。
【００２８】
また、前記実施の形態では、下地印刷用の版７２を用いて表面基材２１の表面に金色のインクにより下地の印刷を行ったが、下地の印刷に用いるインクは何色であってもよい。
【００２９】
また、前記実施の形態では、グリッター印刷用の版７３を用いてパウダー状の金色のラメ素材を透明な溶剤に混合したグリッターにより印刷を行ったが、下地の印刷を先に済ませてから、パウダー状の蓄光剤を透明な溶剤に混合した油性のインクによって印刷が行われていてもよい。
【００３０】
また、前記実施の形態では、熱硬化性樹脂５にラインストーン６を固定したが、熱硬化性樹脂が硬化完了する前にその表面から飛び出した状態でビーズやスワロフスキー、又はアクリルストーンなどの模造宝石状物が固定されていてもよい。
【００３１】
また、前記実施の形態では、透明なポリスチレン樹脂よりなるフック４を用いたが、ＡＳ樹脂（アクリロニトリル−スチレン共重合化合物）や、アクリル樹脂（アクリル酸エステル又はメタクリル酸エステルの重合体）などからなるフックであってもよい。
【符号の説明】
【００３２】
１，１０１〜１２６  吊下具
１０        吊下具本体
２          シール基材
２１        表面基材
２２        粘着材
２３        剥離材
３          インク
４          フック
４１        基板（基部）
５          熱硬化性樹脂
６          ラインストーン（模造宝石状物）
【図１】
0003168623.tif 000003
【図２】
0003168623.tif 000004
【図３】
0003168623.tif 000005
【図４】
0003168623.tif 000006
【図１３】
0003168623.tif 000007
【図１４】
0003168623.tif 000008
【図１５】
0003168623.tif 000009
【図１６】
0003168623.tif 000010
【図１７】
0003168623.tif 000011
【図１８】
0003168623.tif 000012
【図１９】
0003168623.tif 000013
【図２０】
0003168623.tif 000014
【図２１】
0003168623.tif 000015
【図２２】
0003168623.tif 000016
【図２３】
0003168623.tif 000017
【図２４】
0003168623.tif 000018
【図２５】
0003168623.tif 000019
【図２６】
0003168623.tif 000020
【図２７】
0003168623.tif 000021
【図２８】
0003168623.tif 000022
【図２９】
0003168623.tif 000023
【図３０】
0003168623.tif 000024
【図３１】
0003168623.tif 000025
【図３２】
0003168623.tif 000026
【図３３】
0003168623.tif 000027
【図３４】
0003168623.tif 000028
【図３５】
0003168623.tif 000029
【図３６】
0003168623.tif 000030
【図３７】
0003168623.tif 000031
【図３８】
0003168623.tif 000032
【図３９】
0003168623.tif 000033
【図４０】
0003168623.tif 000034
【図４１】
0003168623.tif 000035
【図５】
0003168623.tif 000036
【図６】
0003168623.tif 000037
【図７】
0003168623.tif 000038
【図８】
0003168623.tif 000039
【図９】
0003168623.tif 000040
【図１０】
0003168623.tif 000041
【図１１】
0003168623.tif 000042
【図１２】
0003168623.tif 000043
【手続補正書】
【提出日】平成23年4月12日(2011.4.12)
【手続補正１】
【補正対象書類名】実用新案登録請求の範囲
【補正対象項目名】全文
【補正方法】変更
【補正の内容】
【実用新案登録請求の範囲】
【請求項１】
表面側から順に表面基材、粘着材及び剥離材の３層から構成された吊下具本体は、小熊、猫、子豚、羊、小鹿、リス、又はウサギといった哺乳類を二次元的に表した形状、アヒル、ペンギン、鳩、又は白鳥といった鳥類を二次元的に表した形状、ブドウの房、リンゴ、イチゴ、花びら、又は四つ葉のクローバといった植物類を二次元的に表した形状、キノコといった菌類を二次元的に表した形状、カエルといった両生類を二次元的に表した形状、蝶といった昆虫類を二次元的に表した形状、若しくは、星形、王冠、城形、タワー、ドクロマーク、リボン、又はハートといった模様を二次元的に表した形状などのように万人に好まれるマスコット的な形状に形成され、その表面全域は、ラメ素材又は蓄光剤を溶剤に混合したインクを用いて印刷されており、
前記インクの上には、フックの基部が設置されているとともに、このフックの基部の上から透明な熱硬化性樹脂が前記インクの全域に亘って充填されて当該フックが固定され、
前記熱硬化性樹脂には、その表面から飛び出した状態で模造宝石状物が固定されていることを特徴とする吊下具。
【手続補正３】
【補正対象書類名】明細書
【補正対象項目名】０００１
【補正方法】変更
【補正の内容】
【０００１】
本考案は、壁などに物を吊下げる際に使用される吊下具に関し、詳しくは、装飾性及び判別性に優れた一般にフックと称されるものに係る。
【手続補正４】
【補正対象書類名】明細書
【補正対象項目名】０００５
【補正方法】変更
【補正の内容】
【０００５】
本考案は、かかる点に鑑みてなされたものであり、その目的とするところは、装飾性及び判別性の優れた吊下具を提供することにある。
【手続補正５】
【補正対象書類名】明細書
【補正対象項目名】０００６
【補正方法】変更
【補正の内容】
【０００６】
前記目的を達成するため、本考案では、吊下具として、表面側から順に表面基材、粘着材及び剥離材の３層から構成された吊下具本体を、小熊、猫、子豚、羊、小鹿、リス、又はウサギといった哺乳類を二次元的に表した形状、アヒル、ペンギン、鳩、又は白鳥といった鳥類を二次元的に表した形状、ブドウの房、リンゴ、イチゴ、花びら、又は四つ葉のクローバといった植物類を二次元的に表した形状、キノコといった菌類を二次元的に表した形状、カエルといった両生類を二次元的に表した形状、蝶といった昆虫類を二次元的に表した形状、若しくは、星形、王冠、城形、タワー、ドクロマーク、リボン、又はハートといった模様を二次元的に表した形状などのように万人に好まれるマスコット的な形状に形成し、その表面全域を、ラメ素材又は蓄光剤を溶剤に混合したインクを用いて印刷する。そして、前記インクの上に、フックの基部を設置するとともに、このフックの基部の上から透明な熱硬化性樹脂を前記インクの全域に亘って充填して当該フックを固定する。更に、前記熱硬化性樹脂に、その表面から飛び出した状態で模造宝石状物を固定している。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００２５
【補正方法】変更
【補正の内容】
【００２５】
したがって、本実施の形態では、吊下具本体１０は、小熊が手足を広げたような万人に好まれるマスコット的な形状に形成されているので、その形状自体に十分な特異性が発揮されることになる。しかも、吊下具本体１０の表面全域つまり表面基材２１の表面全域に印刷されたインク３のラメ素材と、その上に充填した透明な熱硬化性樹脂５の表面から飛び出すラインストーン６とによって、見栄えが著しく向上する。これにより、十分な特異性が発揮された形状と相俟って、壁などに吊下具１を貼り付けた際の装飾性及び判別性を非常に優れたものにすることができる。